(57)【要約】【課題】  ケースとベースとの間の摩擦を軽減できて、しかも、最終ギヤやクラッチ等の装着が容易な電動ドアミラー装置及びこれを実現できる回転体連結構造を得る。【解決手段】  ウオームホイール８４のリング部８６の内周部とシャフト１８の外周部との間でシャフト１８の軸方向に対して平行な軸周り方向の付勢力によってウオームホイール８４をシャフト１８に対して相対回転不能に連結するクラッチばね９４は、ウオームホイール８４を組み付ける際にリング部８６の内周部に形成された斜面状のガイド部１０６に押圧されることでクラッチばね９４はその付勢力に抗して弾性変形してギヤ側係合部１００が係合凹部１０４に嵌合する。【選択図】    図１
2006342909.tif 000002
【特許請求の範囲】
【請求項１】
支持軸が貫通可能に形成されて前記支持軸に対する所定の取付位置で前記支持軸周りに回転可能な回転体と、
前記支持軸と前記回転体との間に設けられ、前記回転体に設けられた回転体側係合部及び前記支持軸に設けられた支持軸側係合部の双方に対して付勢力で係合し、当該係合によって前記回転体を前記支持軸に連結すると共に、前記付勢力に抗して前記回転体側係合部又は前記支持軸側係合部に対する係合が解除されることで前記回転体の回転を許容するクラッチ手段と、
を含めて構成される回転体連結構造であって、
前記回転体側係合部及び前記支持軸側係合部のうち予め定められた何れか一方に前記クラッチ手段が係合した状態で前記取付位置から所定距離離間した位置に前記回転体を配置した際に前記クラッチ手段に干渉し、前記取付位置へ前記回転体が移動することで前記付勢力に抗して前記クラッチ手段を変形又は変位させ、前記取付位置に前記回転体が到達した際に前記回転体側係合部及び前記支持軸側係合部の何れか他方に前記クラッチ手段を係合させるガイド手段を備える、
ことを特徴とする回転体連結構造。
【請求項２】
前記クラッチ手段の付勢力の付勢方向を、前記支持軸の軸方向に対して傾けた、
ことを特徴とする請求項１に記載の回転体連結構造。
【請求項３】
前記回転体側係合部よりも前記取付位置への前記回転体の移動方向側で前記回転体の内周部に形成されて、前記回転体の回転半径方向内方側への向きに対して前記取付位置への前記回転体の移動方向側に傾斜し、前記支持軸側係合部に係合した前記クラッチ手段に対して前記支持軸の軸方向に沿って接近することで前記クラッチ手段に干渉し、前記クラッチ手段の付勢力に抗して前記回転体側係合部へ係合可能な状態まで前記クラッチ手段を弾性的に変位又は変形させる斜面を、前記ガイド手段とした、
ことを特徴とする請求項１又は請求項２に記載の回転体連結構造。
【請求項４】
車体に設けられると共に支持軸が立設されたベースプレートと、
前記支持軸を貫通して設けられると共に、前記支持軸周りに前記支持軸に対して相対回転可能な回転体と、
前記回転体と前記支持軸の双方に係合することで前記回転体を前記支持軸に機械的に連結して前記支持軸に対する前記回転体の相対回転を規制すると共に、自らの付勢力に抗する前記支持軸周りの回転力が前記回転体に付与されることで前記連結を解除するクラッチ手段と、
前記ベースプレート上に設けられ、前記支持軸周りに回動可能に軸支された装置本体と、
前記装置本体の内部で前記装置本体に取り付けられ、前記クラッチ手段による前記支持軸への前記回転体の連結状態で、駆動力を前記回転体に付与することで前記装置本体を伴い前記支持軸周りに回動する駆動手段と、
前記支持軸及び前記回転体の何れか一方に設けられ、前記支持軸に対する所定位置へ移動する際に前記支持軸及び前記回転体の何れか他方に予め係合させられた前記クラッチ手段に係合し、前記クラッチ手段の付勢力に抗して前記クラッチ手段を変位又は変形させ、前記何れか他方に前記クラッチ手段を係合可能な状態とするガイド手段と、
を備える電動ドアミラー装置。
【請求項５】
前記クラッチ手段の付勢力の付勢方向を、前記支持軸の軸方向に対して直交させた、
ことを特徴とする請求項４に記載の電動ドアミラー装置。
【発明の詳細な説明】
【技術分野】
【０００１】
本発明は、支持軸と回転体とをクラッチ手段を介して連結する際の回転体連結構造及びこのような回転体連結構造を用いた電動ドアミラー装置に関する。
【背景技術】
【０００２】
車両のドアパネルの近傍に設けられるドアミラーは、車両の後方を確認するためにミラーの反射面が略車両後方に向けられているが、駐車時等にミラーの反射面が略車幅方向室内側を向くようにドアミラーのバイザを回動させて折り畳めるようになっている。
【０００３】
また、このようなドアミラー装置には、モータの駆動力でバイザを回動させる所謂「電動ドアミラー装置」があり、その一例が下記特許文献１に開示されている。
【０００４】
この種の電動ドアミラー装置は、ドアパネルの近傍にベースが設けられており、このベース上にモータアクチュエータが設けられている。モータアクチュエータはケースを備えており、ベースに立設されたシャフトがケース内に入り込んでいる。
【０００５】
また、ケースの内部にはモータが固定されており、モータの駆動力はケース内の減速ギヤ列を介してシャフトに対して同軸的に設けられた最終ギヤに伝えられる。最終ギヤはシャフトの軸方向に沿った所定位置ではシャフトに対して相対回転不能に設けられており、減速ギヤ列を介してモータの駆動力が最終ギヤに伝わると、減速ギヤ列のうち、最終ギヤに噛み合うギヤが最終ギヤからの反力を受けて最終ギヤの周囲を回動する。これにより、減速ギヤ列全体とモータ、ひいてはケースがシャフト周りに回動する。
【０００６】
ケースにはブラケットが固定されており、このブラケットにミラーやバイザが取り付けられる。したがって、上記のようにモータが作動することでケースがシャフト周りに回動すると、ミラーやバイザが回動する。
【０００７】
一方、上記の最終ギヤは、過剰な回転力が作用した際にシャフトとの連結が解除されてシャフト周りに回転できるようになっており、これにより、ケースやモータ、減速ギヤ列、最終ギヤ等の破損を防止している。
【０００８】
このような最終ギヤとシャフトとの連結部分の構造に関して特許文献１に開示された電動ドアミラー装置では、シャフトに対して回転可能に軸支された最終ギヤよりもシャフトの先端側には、プレートクラッチがシャフトに対して相対回転不能で且つシャフトの軸方向にはスライド可能に取り付けられている。プレートクラッチの最終ギヤ側の面には凹部が形成されており、最終ギヤに形成された凸部が嵌合している。
【０００９】
このため、基本的に最終ギヤはプレートクラッチに対するシャフト周りの相対回転が不能で、上記のようにプレートクラッチがシャフトに対して相対回転不能であることから最終ギヤはシャフトに対して相対回転不能とされている。
【００１０】
但し、シャフト周りの回転力により最終ギヤの凸部がクラッチプレートの凹部の内壁を押圧してクラッチプレートを押し上げ、凸部と凹部との嵌合が解消されるとクラッチプレートを介した最終ギヤとシャフトとの機械的な連結が解除され、最終ギヤはシャフト周りに回転できる。
【００１１】
また、プレートクラッチはシャフトの軸方向に沿って最終ギヤとは反対側からコイルばねが設けられており、コイルばねはその付勢力でシャフトの軸方向に沿って最終ギヤにプレートクラッチを押し付けている。したがって、シャフト周りの回転力により最終ギヤの凸部がクラッチプレートの凹部の内壁を押し上げる力が、コイルばねの付勢力を上回った場合にクラッチプレートを介した最終ギヤとシャフトとの機械的な連結が解除される。
【特許文献１】特開２００１−２８７５９３の公報
【発明の開示】
【発明が解決しようとする課題】
【００１２】
ところで、上記のコイルばねはクラッチプレートを最終ギヤに押し付けているため、当然、最終ギヤにはクラッチプレートを介してコイルばねの付勢力が作用し、最終ギヤを収容しているケースの内底に最終ギヤが押し付けられる。さらに、このようにして最終ギヤに押圧されたケースは、外底がベースに押し付けられる。
【００１３】
ベースに設けられたシャフトに回転可能にケースが設けられていることから、ケースの外底とベースとの間には摩擦が生じ、上記のモータは、当然のことながらこの摩擦に抗するトルクを有していなくてはならない。
【００１４】
しかしながら、上記のようにコイルばねの付勢力に基づいて最終ギヤがケースをベースに押し付けることでケースの外底とベースとの間の摩擦も大きくなるため、モータの小型化が難しかった。
【００１５】
本発明は、上記事実を考慮して、ケースとベースとの間の摩擦を軽減できて、しかも、最終ギヤやクラッチ等の装着が容易な電動ドアミラー装置及びこれを実現できる回転体連結構造を得ることが目的である。
【課題を解決するための手段】
【００１６】
請求項１に記載の本発明に係る回転体連結構造は、支持軸が貫通可能に形成されて前記支持軸に対する所定の取付位置で前記支持軸周りに回転可能な回転体と、前記支持軸と前記回転体との間に設けられ、前記回転体に設けられた回転体側係合部及び前記支持軸に設けられた支持軸側係合部の双方に対して付勢力で係合し、当該係合によって前記回転体を前記支持軸に連結すると共に、前記付勢力に抗して前記回転体側係合部又は前記支持軸側係合部に対する係合が解除されることで前記回転体の回転を許容するクラッチ手段と、を含めて構成される回転体連結構造であって、前記回転体側係合部及び前記支持軸側係合部のうち予め定められた何れか一方に前記クラッチ手段が係合した状態で前記取付位置から所定距離離間した位置に前記回転体を配置した際に前記クラッチ手段に干渉し、前記取付位置へ前記回転体が移動することで前記付勢力に抗して前記クラッチ手段を変形又は変位させ、前記取付位置に前記回転体が到達した際に前記回転体側係合部及び前記支持軸側係合部の何れか他方に前記クラッチ手段を係合させるガイド手段を備える、ことを特徴としている。
【００１７】
請求項１に記載の本発明に係る回転体連結構造によれば、回転体を支持軸が貫通して支持軸に対する所定の取付位置に回転体が到達した状態では、回転体と支持軸との間にクラッチ手段が介在し、このクラッチ手段が回転体の回転体側係合部と支持軸の支持軸側係合部の双方に付勢力で係合することで回転体が支持軸に機械的に連結される。この状態では、回転体が支持軸周りに回転することができない。
【００１８】
但し、クラッチ手段の付勢力に抗してクラッチ手段と回転体側係合部又は支持軸側係合部との係合が解除されると、クラッチ手段による回転体と支持軸との機械的な連結が解除される。この状態で回転体に支持軸周りの回転力が付与されていれば、回転体が支持軸周りに回転する。
【００１９】
一方、回転体を支持軸に装着するにあたっては、回転体側係合部及び支持軸側係合部のうち、予め定められた何れか一方にクラッチ手段が係合させられる。この状態で回転体に支持軸を貫通させ、上記の取付位置から所定距離離間した位置に回転体が到達すると、ガイド手段がクラッチ手段に干渉する。
【００２０】
次いで、この状態から回転体を取付位置の側へ移動させると、クラッチ手段の付勢力に抗してガイド手段がクラッチ手段を変形又は変位させる。このように、クラッチ手段の付勢力に抗してクラッチ手段が変形又は変位させられた状態で、回転体を取付位置の側へ移動させると、回転体側係合部及び支持軸側係合部の何れか他方にクラッチ手段が係合する。
【００２１】
このように、本発明に係る回転体連結構造では、クラッチ手段が付勢力によって回転体側係合部及び支持軸側係合部に係合して支持軸に回転体を連結する構造であるが、支持軸に回転体を取り付ける作業で回転体側係合部及び支持軸側係合部の何れか他方に対してクラッチ手段を係合させることができる。
【００２２】
これにより、回転体及びクラッチ手段の双方の組付作業を容易にできる。
【００２３】
請求項２に記載の本発明に係る回転体連結構造は、請求項１に記載の本発明において、前記クラッチ手段の付勢力の付勢方向を、前記支持軸の軸方向に対して傾けた、ことを特徴としている。
【００２４】
請求項２に記載の本発明に係る回転体連結構造によれば、クラッチ手段はその付勢力により回転体と支持軸とを機械的に連結する。
【００２５】
ここで、クラッチ手段の付勢力の付勢方向は、支持軸の軸方向に対して傾いている。このため、支持軸の軸方向に沿ったクラッチ手段の付勢力の大きさは、当然のことながらクラッチ手段の付勢力全体よりも小さくなる。これにより、クラッチ手段の付勢力のうち、支持軸の軸方向に沿った成分が回転体を介して他の部材の回転等の抵抗になる場合には、このような抵抗を軽減できる。
【００２６】
請求項３に記載の本発明に係る回転体連結構造は、請求項１又は請求項２に記載の本発明において、前記回転体側係合部よりも前記取付位置への前記回転体の移動方向側で前記回転体の内周部に形成されて、前記回転体の回転半径方向内方側への向きに対して前記取付位置への前記回転体の移動方向側に傾斜し、前記支持軸側係合部に係合した前記クラッチ手段に対して前記支持軸の軸方向に沿って接近することで前記クラッチ手段に干渉し、前記クラッチ手段の付勢力に抗して前記回転体側係合部へ係合可能な状態まで前記クラッチ手段を弾性的に変位又は変形させる斜面を、前記ガイド手段とした、ことを特徴としている。
【００２７】
請求項３に記載の本発明に係る回転体連結構造では、クラッチ手段に対して特に外力が付与されていない状態で支持軸側係合部にクラッチ手段が係合させられる。さらに、この支持軸側係合部へのクラッチ手段の係合に前後して、回転体が支持軸の軸方向に沿って取付位置に接近させられる。
【００２８】
このように、回転体が取付位置に接近すると、回転体に形成されたガイド手段としての斜面にクラッチ手段が当接する。ここで、この斜面は回転体の回転半径方向内方側への向きに対して前記取付位置への前記回転体の移動方向側に傾斜している。
【００２９】
このため、クラッチ手段が斜面に干渉した状態で更に支持軸の軸方向に沿って回転体をクラッチ手段に接近させると、クラッチ手段が回転体の回転体側係合部に係合可能な状態まで、回転体の斜面がクラッチ手段の付勢力に抗してクラッチ手段を弾性的に変位又は変形させる。
【００３０】
これにより、クラッチ手段が回転体側係合部に係合し、クラッチ手段の装着が完了する。
【００３１】
このように、本発明に係る回転体連結構造では、クラッチ手段が付勢力によって回転体側係合部及び支持軸側係合部に係合して支持軸に回転体を連結する構造であるが、支持軸に回転体を取り付ける作業で回転体側係合部に対してクラッチ手段を係合させてクラッチ手段を装着することができる。
【００３２】
これにより、回転体及びクラッチ手段の双方の組付作業を容易にできる。
【００３３】
請求項４に記載の本発明に係る電動ドアミラー装置は、車体に設けられると共に支持軸が立設されたベースプレートと、前記支持軸を貫通して設けられると共に、前記支持軸周りに前記支持軸に対して相対回転可能な回転体と、前記回転体と前記支持軸の双方に係合することで前記回転体を前記支持軸に機械的に連結して前記支持軸に対する前記回転体の相対回転を規制すると共に、自らの付勢力に抗する前記支持軸周りの回転力が前記回転体に付与されることで前記連結を解除するクラッチ手段と、前記ベースプレート上に設けられ、前記支持軸周りに回動可能に軸支された装置本体と、前記装置本体の内部で前記装置本体に取り付けられ、前記クラッチ手段による前記支持軸への前記回転体の連結状態で、駆動力を前記回転体に付与することで前記装置本体を伴い前記支持軸周りに回動する駆動手段と、前記支持軸及び前記回転体の何れか一方に設けられ、前記支持軸に対する所定位置へ移動する際に前記支持軸及び前記回転体の何れか他方に予め係合させられた前記クラッチ手段に係合し、前記クラッチ手段の付勢力に抗して前記クラッチ手段を変位又は変形させ、前記何れか他方に前記クラッチ手段を係合可能な状態とするガイド手段と、を備えている。
【００３４】
請求項４に記載の本発明に係る電動ドアミラー装置によれば、ベースプレート上の装置本体内に取り付けられた駆動手段が駆動すると、この駆動力はベースプレート上に立設された支持軸に設けられた回転体に伝わる。
【００３５】
駆動手段の駆動力は回転体を回転させようとするが、回転体はクラッチ手段を介して支持軸に機械的に連結され、支持軸周りの回転が規制されている。このため、駆動手段の駆動力が回転体に付与されると、回転体からの反力で駆動手段が装置本体を伴って回転体周りに回動する。
【００３６】
このように装置本体が回動することで、ドアミラーの使用状態（展開状態）か及び格納状態（折畳状態）の何れか一方の状態から他方の状態に切り替えることができる。
【００３７】
一方で、例えば、駆動手段が駆動していない状態で支持軸周りの外力が装置本体に作用した場合には、駆動手段の駆動力に応じた回転体からの反力が駆動手段に作用するわけではないため、駆動手段が回転体周りに回動することはなく、したがって、基本的に装置本体が回動することはない。
【００３８】
しかしながら、このような外力がクラッチ手段の付勢力を上回ると、回転体及び支持軸の少なくとも何れか一方とのクラッチ手段の係合が解除され、クラッチ手段を介した回転体と支持軸との機械的連結が解消される。
【００３９】
このように、回転体と支持軸との機械的連結が解消されると、上記の外力で装置本体が回転体を伴い支持軸周りに回動する。これにより、上記の外力による回転体や駆動手段の破損等が防止される。
【００４０】
ところで、本発明に係る電動ドアミラー装置において、回転体を支持軸に装着するに際には、支持軸及び回転体の何れか他方にクラッチ手段が予め係合させられる。この状態で、回転体を支持軸に対する所定位置へ移動させると、支持軸及び回転体の何れか一方に設けられたガイド手段がクラッチ手段に係合する。この状態で更に回転体を支持軸に対する所定位置へ移動させると、支持軸及び回転体の何れか一方に対して係合可能な状態までガイド手段がクラッチ手段の付勢力に抗してクラッチ手段を変位又は変形させる。このように、ガイド手段により支持軸及び回転体の何れか他方に係合可能な状態までクラッチ手段が弾性的に変形又は変位させられることで、支持軸及び回転体の何れか他方にクラッチ手段が係合し、これにより、支持軸と回転体とがクラッチ手段を介して機械的に連結される。
【００４１】
しかも、このように、回転体を支持軸に対する所定位置まで移動させることで、上記のようにクラッチ手段を弾性的に変形又は変位させるため、所定位置への回転体の配置作業（特に、所定位置が回転体の装着位置であれば回転体の装着作業）でクラッチ手段の装着作業も行なえる。
【００４２】
請求項５に記載の本発明に係る電動ドアミラー装置は、請求項４に記載の本発明において、前記クラッチ手段の付勢力の付勢方向を、前記支持軸の軸方向に対して直交させた、ことを特徴としている。
【００４３】
請求項５に記載の本発明に係る電動ドアミラー装置によれば、クラッチ手段はその付勢力により回転体と支持軸とを機械的に連結する。
【００４４】
ここで、クラッチ手段の付勢力の付勢方向は、支持軸の軸方向に対して直交している。このため、クラッチ手段の付勢力は基本的に支持軸の軸方向に沿った成分を有しない。したがって、クラッチ手段の付勢力が回転体を支持軸の軸方向に押圧することがなく、クラッチ手段の付勢力で回転体が装置本体をベースプレートに押し付けることもない。
【００４５】
これにより、駆動手段の駆動力で装置本体が回動するにあたり、クラッチ手段の付勢力が装置本体とベースプレートとの間の摩擦を大きくすることがないため、駆動手段の駆動力を小さくしても、装置本体を円滑に回動させることができる。
【発明の効果】
【００４６】
以上説明したように、本発明に係る回転体連結構造では、支持軸に回転体を取り付ける作業で回転体側係合部及び支持軸側係合部の何れか他方に対してクラッチ手段を係合させることができる。また、本発明に係る電動ドアミラー装置では、ケースとベースとの間の摩擦を軽減でき、しかも、最終ギヤやクラッチ手段を容易に装着できる。
【発明を実施するための最良の形態】
【００４７】
＜本実施の形態の構成＞
図７には、本発明の一実施の形態に係る車両用ミラー装置としての電動ドアミラー装置１０が分解斜視図にて示されている。
【００４８】
本実施の形態の要部の説明に先立ち、先ず、本電動ドアミラー装置１０の全体的な概略構成について説明する。
【００４９】
（本電動ドアミラー装置１０の全体的な概略構成）
図７に示されるように、本電動ドアミラー装置１０はスタンド１２を備えている。このスタンド１２は、所定の大きさ以上の剛性を有する金属材料等により、車両（図示省略）の略上下方向に沿って厚さ方向とされた略板状に形成されており、車両の運転席若しくは助手席に対応したドアパネルの前端側側方に配置される。
【００５０】
スタンド１２の車幅方向略室内側にはステー１４が一体的に形成されている。ステー１４はスタンド１２と同じ材料によって略車幅方向に沿って厚さ方向の板状に形成されており、ドアパネルへ一体的に連結され、これによってスタンド１２が車両へ固定される。
【００５１】
また、スタンド１２の上面上には、支持軸としての円筒状のシャフト１６が立設されている。シャフト１６は装置本体を構成する略箱状のモータケース１８の底壁２０（図６参照）を貫通した状態でモータケース１８を自らの軸周りに回動自在に軸支している。
【００５２】
さらに、図６及び図７に示されるように、モータケース１８の外周一部からは板状の支持片２２が延出されている。支持片２２の板厚方向一方の側には支持片２２と厚さ方向が同じ板状のブラケット２４が配置されており、ボルト等の締結手段によって支持片２２とブラケット２４とが一体的に固定されている。
【００５３】
ブラケット２４の厚さ方向一方の側には、図７に示される角度調整アクチュエータ２６のハウジング２８が取り付けられている。ハウジング２８の内部には１乃至複数のモータ並びに各モータに対応して設けられた１乃至複数の減速ギヤが収容されている。
【００５４】
また、ブラケット２４の厚さ方向一方の側には、バイザ３０を構成するバイザリム３２が配置されている。バイザリム３２はブラケット２４の厚さ方向一方と略同方向へ向けて開口した浅底の略箱形状若しくは略椀形状に形成されており、その内側にはバイザリム３２の略開口方向側が反射方向とされた板状のミラー本体３４が収容されている。
【００５５】
ミラー本体３４はバイザリム３２の底壁部３６に形成された孔３８を貫通したハウジング２８の支持シャフト（図示省略）に保持されており、ハウジング２８のモータの駆動力がハウジング２８の減速ギヤを介して支持シャフトへ伝えられることで、略車幅方向及び略車両上下方向を軸方向としてこれらの軸周りにミラー本体３４が回動し、ミラー本体３４の反射角度を適宜に変更できるようになっている。
【００５６】
一方、本電動ドアミラー装置１０はバイザリム３２と共にバイザ３０を構成するバイザカバー４０を備えている。このバイザカバー４０はバイザリム３２よりも深底の略箱形状若しくは略椀形状とされている。
【００５７】
バイザカバー４０の内側にはバイザリム３２が嵌合し、更に、バイザカバー４０の底壁部４２から立設された複数の連結リブ４４がブラケット２４に形成された連結孔４６に嵌合することでバイザリム３２及びブラケット２４へ機械的に連結されて一体となり、バイザカバー４０はその内側にモータケース１８、ブラケット２４、角度調整アクチュエータ２６、バイザリム３２、及びミラー本体３４を収容する。
【００５８】
このように、これらのブラケット２４、角度調整アクチュエータ２６、バイザリム３２、ミラー本体３４、及びバイザカバー４０は、上記のようにモータケース１８へ機械的に連結されているため、モータケース１８がシャフト１６周りに回動することでブラケット２４、角度調整アクチュエータ２６、バイザリム３２、ミラー本体３４、及びバイザカバー４０が共に回動する。
【００５９】
（本電動ドアミラー装置１０の要部の構成）
次に、電動ドアミラー装置１０の要部の構成、すなわち、本発明の一実施の形態に係る回転体連結構造について説明する。
【００６０】
図６には、本電動ドアミラー装置１０の要部の構成が縦断面図によって示されている。上述したように、本電動ドアミラー装置１０にあっては、モータケース１８が略箱形状に形成されているが、より詳細には図６に示されるように、モータケース１８は上端が開口した略箱形状である。
【００６１】
また、モータケース１８の内側には内径寸法がシャフト１６の外径寸法に略等しい（厳密にはシャフト１６を嵌挿可能な程度に極僅かに大きい）円筒状の支持筒５２が設けられている。支持筒５２は底壁２０に形成されたシャフト１６が貫通する円孔５４に対して略同軸的に底壁２０から立設されており、円孔５４を貫通したシャフト１６が支持筒５２に嵌挿されることで、支持筒５２、ひいてはモータケース１８が回転自在に軸支される。
【００６２】
さらに、モータケース１８の内側で且つ底壁２０よりもモータケース１８の開口端側には、モータベース５６が配置されている。このモータベース５６は略平板状のベース板５８を備えている。
【００６３】
ベース板５８はシャフト１６の周壁部６０の周方向に沿って連続若しくは断続的に周壁部６０に形成された嵌合台６２上に載置されている。また、ベース板５８の外周形状は周壁部６０の内周形状に対応しており、ベース板５８は周壁部６０に嵌合していると共にねじ等の締結手段（図示省略）によりベース板５８とモータケース１８とが一体的に結合されている。
【００６４】
ベース板５８上にはモータ保持筒６６が形成されている。このモータ保持筒６６は内周形状が駆動手段としてのモータ６８の外周形状に対応した略小判形状とされており、モータ６８はその回転軸７０が下方を向くようにモータ保持筒６６内に収容され、これによりモータ６８がモータ保持筒６６に保持される。
【００６５】
また、モータ６８がモータ保持筒６６に収容された状態での回転軸７０に対応してベース板５８には円孔７２が形成されており、回転軸７０は円孔７２を貫通してベース板５８を介してモータ保持筒６６とは反対側へ突出し、更に、底壁２０に形成された軸受孔７４に軸支されている。さらに、ベース板５８を介してモータ保持筒６６とは反対側では回転軸７０に減速ギヤとしてのウオームギヤ７６が同軸的且つ一体的に固定されている。
【００６６】
ウオームギヤ７６の側方には減速ギヤとしてのウオームホイール７８が配置されウオームギヤ７６に噛み合っている。ウオームホイール７８の軸芯には連結シャフト８０が嵌挿されている。連結シャフト８０には更に減速ギヤとしてのウオームギヤ８２が同軸的且つ一体的に嵌め込まれており、連結シャフト８０を介して回転軸７０とは反対側のウオームギヤ８２の側方に設けられた回転体としてのウオームホイール８４へ噛み合っている。
【００６７】
図１及び図６に示されるように、このウオームホイール８４に対応してモータケース１８にはギヤ載置部８５が形成されている。ギヤ載置部８５はシャフト１６に対して同軸のリング状に形成されており、その上面にウオームホイール８４が載置されている。
【００６８】
また、図１に示されるように、ウオームホイール８４はリング部８６を備えている。リング部８６は内径寸法がシャフト１６の外径寸法よりも十分に大きなリング状に形成されており、その外周部にウオームギヤ８２の外歯が噛合可能な外歯が形成されている。リング部８６は、シャフト１６に対して同軸的にもうけられており、底壁２０とは反対側の軸方向端部には上底壁８８が形成されている。
【００６９】
上底壁８８には円孔９０がリング部８６に対して同軸的に形成されている。円孔９０の内径寸法はシャフト１６の外径寸法に略等しく円孔９０を貫通したシャフト１６により、ウオームホイール８４はシャフト１６周りに回転自在に軸支されている。
【００７０】
また、リング部８６の内周部のうち、リング部８６の軸方向に沿った中間部よりも上底壁８８側はクラッチ装着部９２とされている。クラッチ装着部９２とシャフト１６の外周部との間には、各々がクラッチ手段としての複数のクラッチばね９４が設けられている。
【００７１】
これらのクラッチばね９４は、細幅板状の金属板材を、その幅方向（シャフト１６への装着状態ではシャフト１６の軸方向）を軸方向とする軸周りに湾曲又は屈曲させることで予め定められた形状に成形された金属板ばねとされている。詳細には、クラッチばね９４は支持軸側係合部としてのシャフト側係合部９６を備えている。シャフト側係合部９６は、シャフト１６の軸方向に対して平行な軸周りに略半円形状に湾曲しており、その開口方向はシャフト１６とは反対方向を向いている。
【００７２】
シャフト側係合部９６の両端からは弾性部９８が連続して形成されている。各弾性部９８はシャフト側係合部９６からの延出方向を長手方向とする略直方体形状に形成されており、その幅方向を軸方向とする軸周りに弾性変形して湾曲することができる。
【００７３】
各弾性部９８のシャフト側係合部９６とは反対側の端部からは連続して回転体側係合部としてのギヤ側係合部１００が形成されている。ギヤ側係合部１００はシャフト１６の軸方向に対して平行な軸周りに略半円形状に湾曲しており、その開口方向はシャフト１６の側へ向いている。
【００７４】
以上の構成のクラッチばね９４に対応してモータケース１８にはクラッチ載置部１０１が形成されている。クラッチ載置部１０１はシャフト１６に対して同軸のリング状で、ギヤ載置部８５から連続して形成されている。クラッチ載置部１０１の外径寸法はリング部８６の内径寸法よりも十分に小さく、仮に、クラッチ載置部１０１がリング部８６の内側に同軸的に入り込んでも、クラッチ載置部１０１の外縁がリング部８６の外周部に干渉しない構成となっている。
【００７５】
一方、シャフト１６の外周部には上記のシャフト側係合部９６に対応して係合凹部１０２が形成されており、シャフト側係合部９６が入り込む。これに対して、クラッチ装着部９２にはギヤ側係合部１００に対応して一対の係合凹部１０４が複数組形成されている。互いに対を成す係合凹部１０４の一方にはクラッチばね９４の一方のギヤ側係合部１００が入り込み、他方の係合凹部１０４には他方のギヤ側係合部１００が入り込む。
【００７６】
ここで、図２の（Ａ）及び（Ｂ）に示されるように、クラッチばね９４に外力が作用していない自然状態においては、係合凹部１０２の最深部を中心として互いに対を成す係合凹部１０４の一方に対して他方が成す角度θ１が、シャフト側係合部９６の先端を中心とした一方のギヤ側係合部１００に対して他方のギヤ側係合部１００が成す角度θ２よりも大きくなるように係合凹部１０４が形成されている。
【００７７】
このため、係合凹部１０２にシャフト側係合部９６が嵌り込んだ状態で、互いに対を成す係合凹部１０４の各々にギヤ側係合部１００が入り込むと、クラッチばね９４が上記のθ２が大きくなるように弾性部９８が弾性変形する。
【００７８】
さらに、図１及び図３に示されるように、本実施の形態では、クラッチばね９４が、クラッチ載置部１０１上でシャフト１６の軸心を中心として対称的に設けられており、全てのクラッチばね９４のシャフト側係合部９６及びギヤ側係合部１００が、係合凹部１０２、１０４に嵌り込んだ状態では、シャフト１６の軸心を中心として全ての弾性部９８が略等しい大きさの弾性力で係合凹部１０４の内周部をウオームホイール８４の半径方向外方側へ押圧する。
【００７９】
これにより、シャフト１６周りの回転力がウオームホイール８４に作用しても、係合凹部１０４に嵌り込んだギヤ側係合部１００が係合凹部１０４の内周部に干渉し、ウオームホイール８４の回転が規制される。このため、基本的には、上記のクラッチばね９４によってシャフト１６とウオームホイール８４とが略一体的に連結される。
【００８０】
一方、図６に示されるように、クラッチ装着部９２を介して上底壁８８とは反対側ではリング部８６の内側に特許請求の範囲で言うところの「ガイド手段」又は「斜面」に相当するガイド部１０６が形成されている。ガイド部１０６とされた部分ではリング部８６の内径寸法が、上底壁８８とは反対側へ向けて漸次大きくなっており、上底壁８８とは反対側でのガイド部１０６の内周縁部１０６Ａで内径寸法が最大になる。
【００８１】
ここで、図２の（Ａ）に示されるように、内周縁部１０６Ａの内径寸法（半径寸法）は、クラッチばね９４の自然状態で係合凹部１０２にシャフト側係合部９６を入り込ませた際のシャフト１６の中心からギヤ側係合部１００までの寸法よりも大きい。
【００８２】
なお、本実施の形態では、ウオームホイール８４の軸方向に沿ってガイド部１０６を切った際のガイド部１０６の断面形状は、直線的な斜面となるが、ガイド部１０６の断面形状がこのような直線的な斜面に限定されるものではなく、任意の曲線的な斜面（曲面）としてもよい。
【００８３】
一方、図６に示されるように、上記のウオームホイール８４を介して底壁２０とは反対側には圧縮コイルスプリング１０８が設けられており、更に、圧縮コイルスプリング１０８を介してウオームホイール８４とは反対側には係止リング１１０がシャフト１６に固定されている。圧縮コイルスプリング１０８は一端が係止リング１１０に当接していると共に他端がウオームホイール８４に当接して、ウオームホイール８４を底壁２０側へ付勢している。
【００８４】
但し、従来のドアミラー装置に適用されていたクラッチ用のスプリングとは異なり、付勢力が十分に小さい。この圧縮コイルスプリング１０８は、その付勢力でウオームホイール８４がシャフト１６の軸方向にがたつくことを防止するために設けられている。
【００８５】
したがって、この圧縮コイルスプリング１０８は、ウオームホイール８４のがたつきを防止する「規制手段」として把握できる構成であり、この意味でも従来のクラッチ用のスプリングとは構成が異なる。
【００８６】
さらに言えば、シャフトの軸方向に沿ったウオームホイール８４のがたつきを防止するための構成は、上記のような圧縮コイルスプリング１０８に限定されるものではないし、また、構造上、ウオームホイール８４ががたつかない場合や、ウオームホイール８４のがたつきが極めて小さくなる構成の場合には、圧縮コイルスプリング１０８等の規制手段を設けなくても構わない。
【００８７】
＜本実施の形態の作用並びに効果＞
（電動ドアミラー装置１０の基本的な動作）
上記構成の電動ドアミラー装置１０では、車両に搭載されたバッテリーの電力がモータ６８に供給されて、回転軸７０が回転を開始すると、回転軸７０の回転がウオームギヤ７６、ウオームホイール７８、連結シャフト８０、ウオームギヤ８２を介して減速されつつウオームホイール８４に伝えられる。
【００８８】
上述したように、ウオームホイール８４はシャフト１６に対して相対回転可能に設けられているが、クラッチばね９４のシャフト側係合部９６が係合凹部１０２に嵌合し、ギヤ側係合部１００が係合凹部１０４に嵌合していることで、ウオームホイール８４はシャフト１６に対して一体的に連結され、シャフト１６に対するウオームホイール８４の相対回転が不能になっている。
【００８９】
このため、図３に示される状態でモータ６８の回転力を減速してウオームホイール８４に付与しても、ウオームホイール８４を回転させることができず、図４に示されるように、ウオームギヤ８２はウオームホイール８４に付与した回転力に応じた反力でシャフト１６周りに回動する。
【００９０】
また、モータ６８はモータ保持筒６６に保持されることでモータベース５６と基本的に一体である。また、モータベース５６はモータケース１８へ一体的に結合されている。このため、モータ６８がシャフト１６周りに回動すると、モータケース１８がシャフト１６周りに回動し、更に、モータケース１８の支持片２２へ連結されたブラケット２４が回動し、これにより、角度調整アクチュエータ２６、ミラー本体３４、及びバイザ３０が一体に回動する。
【００９１】
このように、角度調整アクチュエータ２６、ミラー本体３４、及びバイザ３０が回動することで、ミラー本体３４の反射面が略車幅方向室内側へ向いた格納（折畳）状態から略車両後方側へ向いた展開（使用）状態及びこの展開状態から格納状態に変更できる。
【００９２】
（動作面での特徴的な作用、効果）
一方、上記の展開状態で略車両前方側からの外力がバイザ３０に付与されると、バイザ３０は略車両後方側へ押される。また、このような押圧力がバイザ３０に付与されることでウオームギヤ８２は、バイザ３０が展開位置から格納位置へ移動する際の回動方向へウオームホイール８４周りに回動しようとする。
【００９３】
但し、この状態ではモータ６８が駆動しておらず、したがって、ウオームギヤ８２自体が自らの軸心周りに回転していないため、ウオームギヤ８２は自らの歯でウオームホイール８４の歯をシャフト１６周りの回動方向へ押圧する。このウオームホイール８４の歯に付与された押圧力（回転力）がクラッチばね９４の弾性力を上回ると、図５に示されるように、弾性部９８が弾性変形して係合凹部１０４からギヤ側係合部１００が抜け出る。
【００９４】
これにより、クラッチばね９４を介したウオームホイール８４とシャフト１６との機械的連結が解消され、ウオームギヤ８２からの押圧力でウオームホイール８４がシャフト１６周りに回動する。ウオームホイール８４が回動することで、ウオームギヤ８２、ひいては、バイザ３０がシャフト１６周りに回動する。
【００９５】
このように、所定の大きさ以上の上記の外力がバイザ３０に付与された際には、クラッチばね９４による。ウオームホイール８４とシャフト１６との機械的連結が解消されて格納位置へ向けてバイザ３０がシャフト１６周りに回動する。このため、上記の外力がバイザ３０に付与されることによるウオームギヤ８２やウオームホイール８４の破壊等を効果的に防止できる。
【００９６】
ところで、本実施の形態では、上記のように、クラッチばね９４によってウオームホイール８４とシャフト１６とが連結される構成である。ここで、クラッチばね９４によるウオームホイール８４とシャフト１６との連結が解消される際のクラッチばね９４の弾性変形は、弾性部９８の幅方向、すなわち、シャフト１６の軸方向とする軸周り方向である。
【００９７】
すなわち、本実施の形態においてクラッチばね９４の弾性がシャフト１６の軸方向に沿っていない。このため、クラッチばね９４がウオームホイール８４をモータケース１８の底壁２０に押し付けることはなく、クラッチばね９４の付勢力がウオームホイール８４と底壁２０との間の摩擦を大きくすることがない。
【００９８】
この点に関して従来の電動ドアミラー装置のモータアクチュエータに比べると、本実施の形態ではウオームホイール８４と底壁２０との間の摩擦を小さくできる。このウオームホイール８４と底壁２０との間の摩擦は、モータケース１８の回転を妨げるように作用するため、ウオームホイール８４と底壁２０との間の摩擦を小さくできることでモータ６８の駆動力（トルク）を小さくでき、この結果、モータ６８の小型化が可能になる。
【００９９】
（組み立て面での特徴的な作用、効果）
本実施の形態では、シャフト１６の先端からシャフト１６がウオームホイール８４の上底壁８８に形成された円孔９０を貫通するようにウオームホイール８４がシャフト１６に装着される。ここで、ウオームホイール８４がシャフト１６に装着される際には、クラッチばね９４のシャフト側係合部９６がシャフト１６の係合凹部１０２に予め嵌合させられる。
【０１００】
この状態で、円孔９０をシャフト１６の先端が貫通したウオームホイール８４がシャフト１６の基端側へ接近移動させられると、リング部８６の上底壁８８とは反対側においてガイド部１０６がクラッチばね９４のギヤ側係合部１００に当接する。上記のようにガイド部１０６は上底壁８８とは反対側へ向けて漸次大きくなる錐形状の斜面であるため、この状態で更にウオームホイール８４をシャフト１６の基端側へ接近移動させると、ガイド部１０６がクラッチばね９４を押し広げる、すなわち、図２における角度θ２を広げるようにクラッチばね９４を弾性変形させる。
【０１０１】
クラッチばね９４は、ウオームホイール８４がシャフト１６の基端側へ接近するにつれて一方のギヤ側係合部１００に対して他方のギヤ側係合部１００が離間するように弾性変形させられる。さらに、ウオームホイール８４がシャフト１６の基端側へ接近すると両ギヤ側係合部１００がガイド部１０６からクラッチ装着部９２に移る。
【０１０２】
この状態で、ウオームホイール８４をシャフト１６周りに回転させて、ウオームホイール８４の回転半径方向に沿って各クラッチばね９４のギヤ側係合部１００の各々が、対応する係合凹部１０４に対向すると、クラッチばね９４の弾性力（復元力）により係合凹部１０４にギヤ側係合部１００が嵌合する。これにより、ウオームホイール８４の組み付けが終了すると共に、クラッチばね９４の装着が終了して、クラッチばね９４を介してウオームホイール８４がシャフト１６に連結される。
【０１０３】
このように、本実施の形態では、特にクラッチばね９４を弾性変形させておかなくてもウオームホイール８４をシャフト１６に組み付けるだけでクラッチばね９４を装着でき、クラッチばね９４でウオームホイール８４とシャフト１６とを連結できる。このため、クラッチばね９４の装着作業が簡単になる。
【０１０４】
しかも、予めシャフト側係合部９６を係合凹部１０２に嵌合させておけば、基本的にはウオームホイール８４をシャフト１６の基端側へ移動させればよい。このような、動作的にも単純（極端に言えば、一次元的な動作）であるため、ウオームホイール８４の組み付け及びクラッチばね９４の装着を容易に構成で機械化（自動化）できる。
【図面の簡単な説明】
【０１０５】
【図１】本発明の一実施の形態に係る電動ドアミラー装置（本発明の一実施の形態に係る回転体連結構造を適用した電動ドアミラー装置）の要部の構成を示す分解斜視図である。
【図２】回転体、支持軸、及びクラッチ手段の各部位の寸法関係や位置関係を示す平面図である。
【図３】回転体、支持軸、及びクラッチ手段の平面断面図である。
【図４】クラッチ手段により回転体と支持軸とが連結された状態で回転体に噛み合うウオームギヤが回動した状態を示す図３に対応した平面断面図である。
【図５】クラッチ手段による回転体と支持軸との連結が解消された状態で回転体が回動した状態を示す図３に対応した平面断面図である。
【図６】本発明の一実施の形態に係る電動ドアミラー装置（本発明の一実施の形態に係る回転体連結構造を適用した電動ドアミラー装置）の要部の構成を示す断面図である。
【図７】本発明の一実施の形態に係る電動ドアミラー装置（本発明の一実施の形態に係る回転体連結構造を適用した電動ドアミラー装置）の全体構成を示す概略的な分解斜視図である。
【符号の説明】
【０１０６】
１０    電動ドアミラー装置
１６    シャフト（支持軸）
１８    モータケース（装置本体）
６８    モータ（駆動手段）
８４    ウオームホイール（回転体）
９４    クラッチばね（クラッチ手段）
９６    シャフト側係合部（支持軸側係合部）
１００    ギヤ側係合部（回転体側係合部）
１０２    係合凹部
１０４    係合凹部
１０６    ガイド部（ガイド手段、斜面）
【図１】
2006342909.tif 000003
【図２】
2006342909.tif 000004
【図３】
2006342909.tif 000005
【図４】
2006342909.tif 000006
【図５】
2006342909.tif 000007
【図６】
2006342909.tif 000008
【図７】
2006342909.tif 000009